(57)【要約】      （修正有）【課題】着脱専用工具によらずとも結合金具同士の接合操作と解除操作を容易にすることができ、消火活動等の緊急時に迅速且つ確実に消防用ホース同士の連結による敷設と消火作業終了後のホース解体による回収作業が容易に行える消防ホース結合金具の緊締及び解除構造を提供する。【解決手段】結合金具本体１０の周方向に沿って互いに軸方向に向った嵌合突部と嵌合凹部を交互に形成し、嵌合突部の外周面頭部に係合突部を形成すると共に、結合金具本体の接合面に嵌合凹部と連通し、かつ楔機能を有する半円弧状の係止溝を形成して構成した左右一対の結合金具において、該結合金具本体外周面に一対の左右レバーの基部を近接状態で枢支して構成した回動ハンドリングレバーユニット２０を設けると共に、略同じ構造の回動ハンドリングレバーユニット２０を該結合金具本体外周の略対向方向にも設けたことを特徴とする消防ホース結合金具の緊締及び解除構造。【選択図】図１
2018013185.tif 000002
【特許請求の範囲】
【請求項１】
結合金具本体の周方向に沿って互いに軸方向に向った嵌合突部と嵌合凹部を交互に形成し、嵌合突部の外周面頭部に係合突部を形成すると共に、結合金具本体の接合面に嵌合凹部と連通し、かつ楔機能を有する半円弧状の係止溝を形成して構成した左右一対の結合金具において、
該結合金具本体外周面に一対の左右レバーの基部を近接状態で枢支して構成した回動ハンドリングレバーユニットを設けると共に、略同じ構造の回動ハンドリングレバーユニットを該結合金具本体外周の略対向方向にも設けたことを特徴とする消防ホース結合金具の緊締及び解除構造。
【請求項２】
回動ハンドリングレバーユニットを構成する左右レバーは、結合金具本体の外周面に沿った湾曲状に形成して結合金具本体の外周面に折畳自在に収納可能とすると共に、回動ハンドリング作業時に左右レバー起立状態で背中面同士が当接して一体ハンドル構造となるように構成したことを特徴とする請求項１に記載の消防ホース結合金具の緊締及び解除構造。
【請求項３】
回動ハンドリング作業時に起立状態に当接する前記左右レバーの外周側面には、背中面同士の滑動防止のためのローレット溝を刻設したことを特徴とする請求項１又は請求項２に記載の消防ホース結合金具の緊締及び解除構造。
【請求項４】
略同じ構造の回動ハンドリングレバーユニットを結合金具本体外周の略対向方向に複数個設けたことを特徴とする請求項１乃至請求項３に記載の消防ホース結合金具の緊締及び解除構造。
【発明の詳細な説明】
【技術分野】
【０００１】
この発明は、着脱用の回動ハンドリングレバーユニットを備えた消防ホース結合金具の緊締及び解除構造に関する。
【背景技術】
【０００２】
従来、送水ホースやポンプ、輸送管等を相互に接続するための結合金具があり、特に、消火作業で用いられる消防用ホースの連結に多く使用されている。
【０００３】
このような結合金具においては、消火作業の迅速性、確実性の観点から雌雄の区別のない二個の同一構造の結合金具とし、結合対面部分における面接触で結合できるように結合対面部分に互いに雄雌の係合突起（以下、嵌合突部とも言う。）と係合溝（以下、嵌合凹部とも言う。）を形成しねじり式で係合突起と係合溝が嵌着して二個の同一構造の結合金具が接続可能となるように構成されている（例えば、特許文献１参照。）。
【０００４】
かかる結合金具によれば、まず二個の同一構造の結合金具の結合部分を対面させそれぞれの結合金具本体の周方向に沿って配設形成した嵌合突部と嵌合凹部とを合わせ、次いで嵌合突部を嵌合凹部の中に嵌合してその状態で双方の結合金具本体を周方向のうち閉方向に回動すれば、互いの嵌合突部と楔機能を有する嵌合凹部は同周方向に沿って摺動係合して結合金具同士が楔機能を介して緊密に結合すると共に、開方向に回動することにより係合状態を解除して結合金具同士を離脱可能としている。
【先行技術文献】
【特許文献】
【０００５】
【特許文献１】特開平０９−１１９５７７号公報
【発明の概要】
【発明が解決しようとする課題】
【０００６】
ところで、このような回動動作により係合着脱を行う結合金具（以下、単にねじり式結合金具とも言う。）は、一般的な消防用ホースの接続は勿論のこと、例えばコンビナート等の大規模火災や震災時の長距離送水時等、大きな管径を有する大容量泡放水放用の消防用ホースの接続に用いられる。
【０００７】
従って、このようなねじり式結合金具は、放水作業時の高水圧で不意に外れることがないように、特に嵌合突部と楔機能の嵌合凹部との緊密なねじり結合が可能となるように構成されている。
【０００８】
そのために、消火作業の現場で結合金具のねじり結合やねじり解除等のホース処理作業を行うに際しては、レンチ等の着脱専用工具を用いて各ねじり式結合金具の周面に二個の着脱専用工具をそれぞれ係合して左右のねじり式結合金具を一人で、或いは二人がかりで反対方向に回動することにより行っている。
【０００９】
すなわち、支軸を介した一対の開閉自在のアームから構成したレンチ様の着脱専用工具を用い、その先端部に形成したローレット等の係合部をそれぞれの結合金具本体の外周面に設けた複数の係合凸部にそれぞれ係合し、着脱専用工具を操作して二個の結合金具本体を逆周方向である閉方向に回動すれば互いに嵌合突部が楔機能の嵌合凹部中で緊締されて結合金具同士を強固に結合することができ、他方、逆の開方向に回動すれば結合金具同士の離脱を行うことができる。
【００１０】
このように、ねじり式結合金具の着脱操作には必ず着脱専用工具を要し、しかも、着脱専用工具を用いるに際し一対の開閉自在のアームの先端部に形成したローレット等の係合部を結合金具本体の外周面の係合凸部に係合して操作するものであるために、左右二個のねじり式結合金具における嵌合突部と嵌合凹部の緊締が過剰になされているとレンチ様の着脱専用工具が結合金具本体外周面の係合凸部を滑り結合金具本体が回動しない恐れがあった。
【００１１】
また、長い距離にわたって一定規格の多数の消防ホースを連結敷設する作業を行う場合は、多数のホースの連結部分に設けた多数の結合金具毎に着脱専用工具数を使用しなければならず、工具の携行数には限界があるため結合金具を複数人で同時に連結するという作業が困難となり消火作業に手間取り大火災事故の原因となる恐れもあった。
【００１２】
更には、着脱専用工具は、結合金具が大型化するに伴いその管径に合わせて大型化し各種の規格工具を準備しなければならず各種の工具を常時携帯する不便とその保管に不便となっていた。
【００１３】
本発明は、斯かる事情に鑑みてなされたものであって、従来の着脱専用工具を用いることもができる一方、予め結合金具本体に回動ハンドリングレバーユニットを一体に設けておき着脱専用工具によらずとも結合金具同士の接合操作と解除操作を容易にすることができ、消火活動等の緊急時に迅速且つ確実に消防用ホース同士の連結による敷設と消火作業終了後のホース解体による回収作業が容易に行える消防ホース結合金具の緊締及び解除構造を提供する。
【課題を解決するための手段】
【００１４】
上記従来の課題を解決するために、この発明は、結合金具本体の周方向に沿って互いに軸方向に向った嵌合突部と嵌合凹部を交互に形成し、嵌合突部の外周面頭部に係合突部を形成すると共に、結合金具本体の接合面に嵌合凹部と連通し、かつ楔機能を有する半円弧状の係止溝を形成して構成した左右一対の結合金具において、該結合金具本体外周面に一対の左右レバーの基部を近接状態で枢支して構成した回動ハンドリングレバーユニットを設けると共に、略同じ構造の回動ハンドリングレバーユニットを該結合金具本体外周の略対向方向にも設けたことを特徴とする消防ホース結合金具の緊締及び解除構造を提供するものである。
【００１５】
また、本発明に係る消防ホース結合金具の緊締及び解除構造では、以下の点に特徴を有する。
【００１６】
前記回動ハンドリングレバーユニットを構成する左右レバーは、結合金具本体の外周面に沿った湾曲状に形成して結合金具本体の外周面に折畳自在に収納可能とすると共に、回動ハンドリング作業時に左右レバー起立状態で背中面同士が当接して一体ハンドル構造となるように構成したこと。
【００１７】
回動ハンドリング作業時に起立状態で当接する前記左右レバーの外周側面には、背中面同士の滑動防止のためのローレット溝を刻設したこと。
【００１８】
略同じ構造の回動ハンドリングレバーユニットを結合金具本体外周の略対向方向に複数個設けたこと。
【発明の効果】
【００１９】
請求項１の発明によれば、結合金具本体の周方向に沿って互いに軸方向に向った嵌合突部と嵌合凹部を交互に形成し、嵌合突部の外周面頭部に係合突部を形成すると共に、結合金具本体の接合面に嵌合凹部と連通し、かつ楔機能を有する半円弧状の係止溝を形成して構成した左右一対の結合金具において、該結合金具本体外周面に一対の左右レバーの基部を近接状態で枢支して構成した回動ハンドリングレバーユニットを設けると共に、略同じ構造の回動ハンドリングレバーユニットを該結合金具本体外周の略対向方向にも設けたために、二つの結合金具本体の回動ハンドリングレバーユニットが一体に左右一対の結合金具に付設されており、常時必要な時に該回動ハンドリングレバーユニットを組立ててレバ―構造に変形して操作することができることになり、わざわざ従来の着脱専用工具を携行しておく必要がなく消火作業現場での規格消防ホースの連結敷設作業容易となり、かつ迅速に消火作業に着手できることになるため消火作業現場での安全性の向上に貢献することができる効果がある。
【００２０】
更には、回動ハンドリングレバーユニットを組立ててレバ―構造に変形する構造としては結合金具本体外周面での左右レバーの基部枢支構造であるため、簡単で安価な構造とすることができ、かつ左右レバーの起立操作という簡単な操作で回動ハンドリングレバーユニットの組立てが完了することから結合金具の連結解除が容易に行えるため消火現場でのホースの連結解除作業を効率的に安全かつ迅速に行える効果がある。
【００２１】
特に操作に際しては、作業者が回動ハンドリングレバーユニットの左右レバーを把持して逆周方向の閉方向に回動するように操作すれば互いに嵌合突部が嵌合凹部中でねじり緊締されて結合金具同士を強固に接合することができ、他方、開方向に回動すれば結合金具同士の離脱を行うことができるため操作は簡単で特に大きな熟練を必要とせず消火作業に従事する作業者が誰でもいつでも容易にホース連結解除作業を遂行できる効果がある。
【００２２】
また、従来の着脱専用工具を用いることもできる一方、着脱専用工具によらずとも結合金具同士の接合操作と解除操作を精確且つ容易にすることができるため現場の状況に応じて作業者が選択的に従来の着脱専用工具や本発明の消防ホース結合金具の緊締及び解除構造である回動ハンドリングレバーユニットを使用できることになり、消火活動等の緊急時に迅速且つ確実に消防用ホース同士の連結による敷設と消火作業終了後のホース解体による回収作業等の消火作業現場での状況を判断しながら最適なホース連結に関連する作業を選択的に安全確実に行うことができる効果がある。
【００２３】
請求項２の発明によれば、回動ハンドリングレバーユニットを構成する左右レバーは、結合金具本体の外周面に沿った湾曲状に形成して結合金具本体の外周面に折畳自在に収納可能としたことにより、左右レバーを折畳自在に収納した状態では結合金具の周面に一体に折畳み状態となり、他方消防ホースに連結された結合金具が連結作業時や消火活動時に地面を摺動しても座屈等の損傷を生起することを防止でき、またホース解体後には消防ホースに一体の結合金具が嵩張ることなく収納保管ができる効果がある。
【００２４】
更には、回動ハンドリング作業時に左右レバー起立状態で背中面同士が当接して一体ハンドル構造となるように構成したために、回動ハンドリング作業時に左右レバーの起立状態で背中面同士が当接した一体ハンドル構造となり、作業者は左右レバーを把持しやすく、特に左右レバーは結合金具の周面に沿った半円弧状であり起立状態で左右レバーが背中合わせで半反り状態となるため手で把持する際のグリップ力が半反りの中心底部位置に集中しやすくなりグリップ力を結合金具の回動に必要な回転応力に有効に伝達できる効果がある。
【００２５】
請求項３の発明によれば、回動ハンドリング作業時に起立状態に当接する前記左右レバーの外周側面に背中面同士の滑動防止のためのローレット溝を刻設したため、回動ハンドリングレバーユニットの左右レバーの外周側面同士の当接した際に互いのローレット溝の凹部と凸部が係合して左右レバーの当接状態を係止保持することができ、しかも左右レバーの外周側面同士の当接係止位置を調節することで回動ハンドリングレバーユニットを作業者が回動ハンドリングしやすい所望の角度に変位させることができる効果がある。
【００２６】
請求項４の発明によれば、略同じ構造の回動ハンドリングレバーユニットを該結合金具本体外周の略対向方向にも設けたため、二人の作業者は向き合った二個の結合金具におけるそれぞれの回動ハンドリングレバーユニットの左右レバーを起立させて両手で各左右レバーを一体として把持し管中心軸線を中心に回動すれば嵌合突起が嵌合凹部から離脱し、或いは緊締結合して結合金具の着脱作業が容易に行える効果があると共に、現場での状況に応じて一人でのホース連結解除作業でも上述した操作と略同様操作で同じような効果を得ることができる。
【図面の簡単な説明】
【００２７】
【図１】本発明に係る実施形態の結合金具の使用例を示す説明図である。
【図２】本発明に係る実施形態の結合金具の構成を示す説明図である。
【図３】本発明に係る実施形態の結合金具の構成を示す説明図である。
【図４】本発明に係る実施形態の結合金具の構成を示す説明図である。
【図５】本発明に係る実施形態の結合金具の接合状態を示す説明図である。
【図６】本発明に係る実施形態の結合金具の緊締及び解除構造を示す説明図である。
【図７】本発明に係る実施形態の結合金具の回動ハンドリングレバーユニットの構成を示す説明図である。
【図８】本発明に係る実施形態の結合金具の左右レバーの収納ストッパー機構の構成を示す説明図である。
【発明を実施するための形態】
【００２８】
本発明は、従来の着脱専用工具を用いることもできる一方、予め結合金具本体に回動ハンドリングレバーユニットを設けておき、着脱専用工具によらずとも結合金具同士の接合操作と解除操作を容易にすることができ、消火活動等の緊急時に迅速且つ確実に消防用ホース同士の連結による敷設と消火作業終了後のホース解体による回収作業が容易に行えるものである。
【００２９】
特に、本発明の消防ホース結合金具の緊締及び解除構造に特徴的には、結合金具本体の周方向に沿って互いに軸方向に向った嵌合突部と嵌合凹部を交互に形成し、嵌合突部の外周面頭部に係合突部を形成すると共に、結合金具本体の接合面に嵌合凹部と連通し、かつ楔機能を有する半円弧状の係止溝を形成して構成した左右一対の結合金具において、該結合金具本体外周面に一対の左右レバーの基部を近接状態で枢支して構成した回動ハンドリングレバーユニットを設けると共に、略同じ構造の回動ハンドリングレバーユニットを該結合金具本体外周の略対向方向にも設けたことに特徴を有する。
【００３０】
図１は、回動ハンドリングレバーを用いて接合状態の一対の結合金具Ｆ、Ｆ’の緊締や解除を試みている状態を示した説明図である。すなわち、図１に示すように、それぞれ消防ホース３０、３０’が接続された結合金具Ｆ、Ｆ’は、同一の構造の一対の結合金具本体１０、１０’から構成されており、消防ホース結合金具の緊締及び解除構造としてのそれぞれの結合金具本体１０、１０’に備えられた回動ハンドリングレバーユニット２０、２０’を作業者が把持して接合操作または解除操作を行うことで結合金具本体１０、１０’の緊締や解除を行うものである。以下、本実施形態に係る緊締及び解除構造を有する結合金具Ｆ、Ｆ’の構成について、図面を参照しながら説明する。
【００３１】
〔１．ねじり式結合金具〕
まず、本実施形態に係るねじり式結合金具Ｆ、Ｆ’の構成について説明する。図２（ａ）は、接合前の一対の結合金具Ｆ、Ｆ’の構成を示し、図２（ｂ）は、係止溝と係合突部との嵌合楔機能を示す説明図である。また、図３は、軸方向視における結合金具の接合面の構成を示す説明図である。また、図４は、側面視における接合前の結合金具Ｆ、Ｆ’の構成を示す。また、図５（ａ）は、側面視における互いの結合金具Ｆ、Ｆ’を遊嵌した状態を示し、図５（ｂ）は、互いの結合金具Ｆ、Ｆ’を接合した状態を示している。また、図４及び図５中、一点鎖線は結合金具Ｆ、Ｆ’の軸線を示し、軸線より上側を側断面とし下側を外側面として示している。
【００３２】
図２（ａ）に示すように、ねじり式結合金具Ｆ、Ｆ’は、一対の同一構造を有した結合金具本体１０、１０’とで対をなし、互いに結合対面部分における面接触で結合できるように結合対面部分、すなわち接合面１３、１３’部分に互いに嵌合突部１１、１１’と嵌合凹部１２、１２’を形成して密封接続可能に構成されている。
【００３３】
すなわち、一つの結合金具Ｆは、図３に示すように、結合金具本体１０の周方向に沿って軸方向に嵌合突部１１と嵌合凹部１２を交互に形成し、これらの嵌合突部１１の外周面頭部に係合突部１１ａを形成すると共に、結合金具本体１０の接合面１３に嵌合凹部１２に連通し、かつ楔機能を有する半円弧状の係止溝１２ａを形成して構成している。
【００３４】
また、図４に示すように、結合金具本体１０、１０’の内周面には、回動自在にホース継手リング１４、１４’が嵌装されている。ホース継手リング１４、１４’の外端周面には、図１に示すように、内周面を耐水加工された布製の消防ホース３０、３０’の端部が外装されて連設固定されており、ホース継手リング１４、１４’は連結された消防ホース３０、３０’と共に、結合金具本体１０、１０’の内装部分を介して回転自在となる。
【００３５】
ホース継手リング１４、１４’の他端の外周面には鋸歯状のホース取付部１４ａ、１４ａが形成されている。そして、このホース取付部１４ａ、１４ａ’に消防ホース３０、３０’の端部を挿入し、消防ホース３０、３０’の外周面からかしめ筒により消防ホース３０、３０’の内周面をホース取付部１４ａ、１４ａ’に押圧して消防ホース３０、３０’を取り付ける。
【００３６】
このように、回転自在のホース継手リング１４、１４’を介して消防ホース３０、３０’が結合金具本体１０、１０’に連設されていることで、消火活動現場で結合金具本体１０、１０’の連結解除を行う際に、結合金具Ｆ、Ｆ’をねじったり回転させて回動自在なホース継手リング１４、１４’によって消防ホース３０、３０’の撚りを生起しないので結合金具本体１０、１０’同士の連結や解除操作が簡潔に行いやすい。
【００３７】
嵌合突部１１は、図２及び図３に示すように、結合金具本体１０の接合面１３周方向に沿って所定間隔を隔てて複数（本実施形態では３つ）突出して形成しており、さらにその外周面頭部に係合突部１１ａが形成されている。
【００３８】
嵌合凹部１２は、嵌合突部１１と同様に結合金具本体１０の接合面１３周方向に沿って所定間隔を隔てて複数（本実施形態では３つ）刻設して形成しており、図４及び図５（ａ）に示すように、嵌合凹部１２と嵌合突部１１の形状は相補形に嵌合するように構成されている。
【００３９】
そして、結合金具本体１０の接合面１３の内側には、図２（ｂ）に示すように、一定幅員、すなわち、嵌合突部１１に設けた係合突部１１ａが摺動できる一定幅員を有する半円弧状の係止溝１２ａが形成されている。
【００４０】
しかも、この係止溝１２ａの一端開口部は、図３に示すように、嵌合凹部１２と連通しており、従って、一方の結合金具本体１０’の係合突部１１ａ’を他方の結合金具本体１０の嵌合凹部１２に嵌入すると同時に左右の結合金具Ｆ、Ｆ’を互いに反対方向に回動ねじると嵌合突部１１’の係合突部１１ａ’が嵌合凹部１２に連通した係止溝１２ａに侵入していく。
【００４１】
この際、係止溝１２ａは、楔機能を有するように先端から基部に至るに従って溝幅が順次狭窄状に形成されているため、図４及び図５（ａに示すように、左右の結合金具Ｆ、Ｆ’を互いに反対方向に回動ねじる程に、図２（ｂ）に示すように、狭窄状の係止溝１２ａに嵌合突部１１’の係合突部１１ａ’が侵入して行き楔機能により、図５（ｂ）に示すように、緊密な係止状態を実現することになる。
【００４２】
このようにして左右の結合金具Ｆ、Ｆ’は回動してねじることにより緊密な連結結合状態が完了する。通常、嵌合凹部１２、１２’と嵌合突部１１、１１’を有する結合金具Ｆ、Ｆ’はこのように相補形に嵌合するように構成されており、嵌合凹部１２、１２’の係止溝１２ａ、１２ａ’に形成した楔機能を介して接続連結されて規定の長さの消防ホース３０、３０’が一定個数連結されてつながり消火作業に必要な長さに敷設されることになる。
【００４３】
〔２．結合金具周面に設けた回動ハンドリングレバーユニット〕
この発明の特徴は、図１〜図５に示すように、上記した従来構造の結合金具本体１０、１０’外周面に一対の左右レバー２１Ｌ、２１Ｒの基部を近接して枢支することにより構成した回動ハンドリングレバーユニット２０、２０’を設けたことにあり、しかも、略同じ構造の回動ハンドリングレバーユニット２０、２０’を該結合金具本体１０、１０’外周の略対向方向にも設け、消防ホース結合金具の緊締及び解除を着脱専用工具を使用することなく結合金具本体１０、１０’と一体の回動ハンドリングレバーユニット２０、２０’を組み立てて簡便容易に行えるように構成したことにある。
【００４４】
以下、図面を参照しながら本実施形態に係る回動ハンドリングレバーユニット２０、２０’の構造について詳説する。図６（ａ）は、回動ハンドリングレバーユニット２０、２０’による結合金具Ｆ、Ｆ’同士の回動ねじり接合前の状態を示し、図６（ｂ）は、回動ハンドリングレバーユニット２０、２０’による回動ねじり接合後の状態を示す。また、図７（ａ）は、軸方向視における結合金具Ｆの左右レバー２１Ｌ、２１Ｒの収納状態を示し、図７（ｂ）は、左右レバー２１Ｌ、２１Ｒの立設状態を示す。
【００４５】
すなわち、図６及び図７に示すように、結合金具本体１０外周面には一対の左右レバー２１Ｌ、２１Ｒの基部を近接して枢支することにより回動ハンドリングレバーユニット２０を形成している。図２〜図７中、２２は左右レバー２１Ｌ、２１Ｒの基部の枢支軸を示している。
【００４６】
結合金具本体１０の外周面において、回動ハンドリングレバーユニット２０の略対向方向には略同じ構造の回動ハンドリングレバーユニット２０が配設されている。
【００４７】
該回動ハンドリングレバーユニット２０の左右レバー２１Ｌ、２１Ｒは、図７に示すように、常時必要な時に結合金具本体１０の外周面から起立して変形操作することができるように構成されており、わざわざ従来の着脱専用工具を携行しておく必要がない。
【００４８】
このように構成することにより、図６（ａ）に示すように、回動ハンドリングレバーユニット２０、２０’を介して左右の結合金具Ｆ、Ｆ’をそれぞれ互いに逆回動してねじることにより、図４、図５及び図６（ｂ）に示すように、結合金具Ｆ、Ｆ’同士の緊密な連結結合状態を完了し、消火作業現場での規格消防ホースの連結敷設作業が容易となり、かつ迅速に消火作業に着手できることになり消火作業現場での安全性の向上を図ることができる。
【００４９】
また、回動ハンドリングレバーユニット２０を構成する左右レバー２１Ｌ、２１Ｒは、図２、図６及び図７に示すように、結合金具本体１０の外周面に沿った湾曲状に形成して結合金具本体１０の外周面に折畳自在に収納可能としている。
【００５０】
従って、図７（ａ）に示すように、左右レバー２１Ｌ、２１Ｒを折畳自在に収納した状態では結合金具本体１０の周面に一体に折畳み状態となる。
【００５１】
また、回動ハンドリングレバーユニット２０における左右レバー２１Ｌ、２１Ｒは、図７及び図８に示すように、収納時に結合金具本体１０の周面に固定可能なように収納ストッパー機構２３が設けられている。図８（ａ）は、レバー２４収納前の収納ストッパー機構２３の構成を示し、図８（ｂ）は、レバー２４収納後の収納ストッパー機構２３の構成を示す。
【００５２】
すなわち、図８（ａ）に示すように、結合金具本体１０の周面の大径段部の段上面に折曲バネ２３ａを設けておき、レバー収納時には、図８（ｂ）に示すように、折曲バネ２３ａの上面２３ｂに左右レバー２１Ｌ、２１Ｒの下端面２１ａ、２１ａ’が摺動当接して折曲バネ２３ａの反発力付勢により左右レバー２１Ｌ、２１Ｒが基部の枢支軸２２から不用意に回動しないように固定可能に構成されている。
【００５３】
このような収納形態としたことにより、消防ホース３０、３０’に連結された結合金具Ｆ、Ｆ’が連結作業時や消火活動時に左右レバー２１Ｌ、２１Ｒを不用意に起立突出させることなく地面を摺動しても座屈等の損傷を生起することを防止でき、またホース解体後には消防ホース３０、３０’に一体の結合金具Ｆ、Ｆ’が嵩張ることなく収納保管ができる。
【００５４】
更には、回動ハンドリング作業時に左右レバー２１Ｌ、２１Ｒ起立状態で背中面同士が当接して一体ハンドル構造となるように構成したために、回動ハンドリング作業時に左右レバー２１Ｌ、２１Ｒの起立状態で背中面同士が当接した一体ハンドル構造となり、作業者に左右レバー２１Ｌ、２１Ｒを把持しやすくする。
【００５５】
特に左右レバー２１Ｌ、２１Ｒは、結合金具Ｆ、Ｆ’の周面に沿った半円弧状であり起立状態で左右レバー２１Ｌ、２１Ｒが背中合わせで半反り状態となるため、図１に示すように、手で把持する際のグリップ力が半反りの中心底部位置に集中しやすくなりグリップ力を結合金具Ｆ、Ｆ’の回動に必要な回転応力に有効に伝達できる。
【００５６】
更には、図２〜図７に示すように、回動ハンドリング作業時に起立状態に当接する前記左右レバー２１Ｌ、２１Ｒの外周側面背中には左右レバー２１Ｌ、２１Ｒの背中面同士が滑動することを防止するためにローレット溝２４Ｌ、２４Ｒを刻設している。
【００５７】
このように構成することにより互いのローレット溝２４Ｌ、２４Ｒの凹部と凸部が係合して左右レバーの当接状態を係止保持することができ、しかも左右レバー２１Ｌ、２１Ｒの外周側面同士の当接係止位置を調節することで回動ハンドリングレバーユニット２０、２０’を作業者が回動ハンドリングしやすい所望の角度、例えば、図７（ｂ）中、二点鎖線で示す角度位置に回動ハンドリングレバーユニット２０を変位させることができる。
【００５８】
最後に、上述した各実施の形態の説明は本発明の一例であり、各実施の形態以外であっても、本発明に係る技術的思想を逸脱しない範囲であれば、設計等に応じて種々の変更が可能であることは勿論である。
【符号の説明】
【００５９】
Ｆ  結合金具
１０  結合金具本体
１１  嵌合突部
１２  嵌合凹部
１３  接合面
１４  ホース継手リング
２０  回動ハンドリングレバーユニット
２１Ｒ  右レバー
２１Ｌ  左レバー
２２  枢支軸
２３  収納ストッパー機構
２４Ｌ、２４Ｒ  ローレット溝
【図１】
2018013185.tif 000003
【図２】
2018013185.tif 000004
【図３】
2018013185.tif 000005
【図４】
2018013185.tif 000006
【図５】
2018013185.tif 000007
【図６】
2018013185.tif 000008
【図７】
2018013185.tif 000009
【図８】
2018013185.tif 000010